(57)【要約】【課題】  寒冷地ではサイディングボードを使用した住宅が多く立てられているが、その多くが数年以内にボードが波打ってきたり、押さえ釘の頭が見えるようになったり、また目地コーキング材が肌別れを起こしている。しかも特に低温になる地区では、さらに、ボードが崩れたり、塗膜がスケーリングを起こしてはがれたりといういわゆる凍害につながっている。その結果住宅のライフサイクルが短くなり、特に終のすみかと考える世帯にとっては重大な問題となっている。【解決手段】  まず傷んだサイディングボードを現場ですべてはがし、再利用可能なものは再利用するための選別を行う。次に、これから貼るサイディングボードの裏面と小口に次の手順で塗装を行う。▲１▼．溶剤系浸透性撥水材を塗布する▲２▼．溶剤系エナメル塗料を塗布するこの後、再び住宅に釘で打ちつけて終了とするが必要ならば外面も塗装すればよい。【選択図】なし【特許請求の範囲】
【請求項１】
溶剤系浸透性撥水材と溶剤系エナメル塗料をこの順に組み合わせて塗装することによりサイディングボードの凍害を防止する塗装方法。この場合に使用する上記塗料はそれぞれ後述する性質を備えているものであれば、一般の市販品でかまわない。
１）溶剤系浸透性撥水材
無色透明の浸透性撥水材で皮膜を形成しないもので、サイディングボードに塗布乾燥後ボード面に水滴を落としたとき、水滴が粒状となってころころ転がるような撥水性を形成するもの。市販品の名前の例を挙げると、アクアシ−ル、コンフィックスＳＭ−７、ウオ−タ−シ−ル、タイトシラン、プ−レガ−ド、などでこのほかにもあるが、いずれも水滴が粒状になるようなものが品番で指定してあるので、塗布の際にはチェックが必要である。なお浸透性撥水材には水系のものが市販されているが、これは皮膜を形成することと、エナメルとの付着性に不安があるため使用は不可とする。
２）溶剤系エナメル塗料
この材料はサイディングボードに防水性を与えるために塗布するもので、しかも浸透性撥水材の上に塗布するものであるため、これは溶剤型でなくてはならず、水系は不可である。この材料も一般の市販品を使用することが可能で、ほとんどの塗料メ−カ−から買い求めることが出来る。しかも最近は、弱溶剤タイプ、及び「Ｆ☆☆☆☆」という環境に配慮したものが市販されており、溶剤アレルギーを幾分でも緩和することが可能である。とはいっても、強溶剤タイプ、「Ｆ☆☆☆☆」なしでも使用できることはもちろんであるので、使用する場所の環境設備、及びコストなどを考慮して使用したらよい。また溶剤系エナメル塗料に使用されている樹脂の種類もアクリル、ウレタン、シリコン、フッ素など多くあるが、目に見えないところに使用することと、紫外線が直接当らないので値段の安いもので十分である。また皮膜を十分に形成させる必要があるために、クリヤータイプのものよりも顔料の入っているほうが良い。ここで注意することが一つあって、浸透性撥水材を塗布せずに撥水性のあるエナメルだけを１回塗っただけで終了することは、後述するが不可である。
【発明の詳細な説明】
【技術分野】
【０００１】本発明は、寒冷地におけるサイディングボードの凍害を塗装によって防止するための方法に関するものである。
【背景技術】
【特許文献１】  特許公開平１１−２５６００６
【発明の開示】
【発明が解決しようとする課題】
【０００２】サイディングボードを使用した住宅が最近ではどこの団地でも見られ、木造モルタル、ＡＬＣ  などをはるかに凌駕している。しかも最近は以前のように平板な感じのものだけではなくデザイン的にも景観の主流を形成するものが見られるようになり、今後もますますサイディングボードの住宅が増えることが考えられる。しかしサイディングボードの住宅街を冬季に通ってみると意外な現象が見られるのである（参考図面  図１、図２）。それは早朝、もしくは夕方にサイディングボードの壁に白と黒の模様が現れ、ボードの裏面にある胴ぶち、筋交いなどの配置がはっきり見えることである。またこのような現象は住宅の新旧に関係なく起こり、新築したばかりと思われるような住宅でも起こっている。そしてこの現象が見られる条件としては最低気温が氷点下（データではー３度位以下）になることであり、日中気温が上がったり、太陽の光が当ると自然に消滅して見えなくなる。【０００３】壁に見える模様のうち黒い部分に手を触れてみたところ、手に水滴が付着したことから、黒く見える部分は水が含まれていることが推定できる。しかし、気温が氷点下であり、露が降りたわけでもなく、雪解け水が付着したわけでもないのに、この水滴の水はいったいどこから発生したのか非常に不思議に思ったわけである。簡単な考察の結果次のように推定出来る。この水の出所は室内の水蒸気である。つまり断熱層を押さえるビニールシート（透湿防水シート）のつなぎ目や、あるいはシートの劣化した箇所（またはあってはならないが透湿防水シートそのもの）から水蒸気が外部に漏れだし、冷えたサイディングボードに当って冷やされて結露水に変化したものである。【０００４】この外壁に白黒の模様が出る状態をこのまま放って置くと湿潤と乾燥を繰り返すことになるから、その結果ボードが波を打ったように反り返ったり、押さえ釘の頭が見えるようになったり、また目地コーキングの肌別れが発生したりという現象が現れてくる（参考図面  図３、図４）。さらに特に低温になる地区では、ボードが崩れたり、表面の塗装がスケーリングによりはがれてくるという、つまり凍害の発生を実際に見ることが出来る。【０００５】上述した〔特許文献１〕特許公開平１１−２５６００６  によれば、ここで発明した特別な水溶性樹脂をサイディングボードに塗布するとあるが、使用器具はロールコーターなどの器具、及び装置を必要としているので大変コストが高いものにつく恐れがあり、したがってサイディングボードメーカーなどはなかなか手が出せないものと考えられる。さらにサイディングボードの裏面は凹凸があって水溶性樹脂を塗装した場合塗膜欠陥（ピンホール）を発生させる危険がありうるし、しかも裏面、及び小口からの水蒸気、及び結露水の浸入に対する備えが不十分である。したがってこの発明をもし実施するには、サイディングボードメーカーなどが装置をボードの製造ラインに設置して品質管理を十分に行うことが絶対条件であるが、それにしてもコストの面で問題は残ると考えられる。
【課題を解決するための手段】
【０００６】本発明の主旨は、溶剤系浸透性撥水材と溶剤系エナメル塗料をこの順にサイディングボードに塗装することにより、サイディングボードの凍害発生を防止する方法である。この場合に使用する上記塗料は、それぞれ必要な性質を備えているものであれば一般の市販品でかまわない。【０００７】簡単な考察から推定できることは、凍害を発生する水は雨、露、雪解け水などではなく、室内の水蒸気が変化して発生する結露水である。したがってこれらの凍害現象の発生を防ぐには、サイディングボードの裏面、及び小口から水蒸気、及び結露水が浸入しないようにしてやればよいことになる。そのためには水蒸気と結露水の両者に対する対策が必要であり、さらにはコストの面を考えると工場のラインで塗装することよりも現場で（あるいは工場内で実施しても良いが）一般の塗装技能者が出来ることのほうが有利である。【０００８】溶剤系浸透性撥水材を塗布
これをサイディングボードの裏面（普通は無処理、凹凸が残っている）、及び  切断など加工して発生した切り口に１回だけ刷毛、又はローラーで塗布する。この場合塗布量については特に規定はないが、塗装技能者が刷毛、またはローラーで普通に１回塗布する量といえる。また塗布後が正常かどうかの判定は、サイディングボードに水をたらしてみたとき、水玉が出来てころころ転がるかどうかを見て判定し、もし水玉が止まって下地にしみこむようであれば不可とする。こうしてやるとサイディングボード１枚に必要な塗布量が把握できるから、次からはこのようにして決めた量を目安にすればよく決してグラム単位で表示するほどの必要はない。この塗装の目的は、サイディングボードに（水圧がない状態で）水がしみこむのを防ぐことであり、特に次の溶剤系エナメル塗料の塗膜に発生した塗膜欠陥（ピンホール）から水がしみこむのを防止する。サイディングボード（特に窯業系）はその原料的な性質から大変吸水性が高く、わずかなピンホールからでも水がしみこみやすい。【０００９】溶剤系エナメル塗料を塗布
これが防水層の役目と水蒸気の侵入を阻止する役割をする。すなわち、外部に漏れてきた水蒸気は冷たいサイディングボードの裏面（防水層）に当って冷やされて裏面結露水となり、そのうち防水層には結露水が大量に付着して水滴となって下に向かって落ち始めるため、ボード内部への浸水を防止できる。このとき防水層にピンホールがあった場合、上述したように浸水は防止できるが水蒸気の若干の侵入は防止できない。しかし水蒸気に空気圧がないこと、ピンホールに水のふたが出来る可能性があること、及びピンホールの面積が非常に小さいこと、などから、水蒸気の影響は無視できると考えられる。  なお溶剤系エナメル塗料の塗布量も上の場合と同じく、塗装技能者が通常に刷毛、又はローラーで１回で塗る量で十分である。【００１０】もしこのとき防水層がないと仮定すると、たとえ浸透性撥水材が塗ってあったとしても、水蒸気が直接ボード内部に侵入してボード内部で結露水に変わる。このときもし水蒸気の供給量が多ければボード表面に達するまで結露水が充満するが、もし胴ぶちや筋交いなど水蒸気の浸入を阻害するものがあればそれをよけていき、その結果（参考図面  図１、図２）に見られるような模様が現れると考えられる。【００１１】また防水層があっても、浸透性撥水材を塗ってない場合には、防水層に存在するピンホールから結露水が大量に吸い込まれることになり、時間はかかるけれども凍害につながる可能性がある。そしてこのとき防水層に撥水性があったとしても、ボードの吸水は避けられない。